(57)【特許請求の範囲】
【請求項１】
アイリスモータによりシャッター羽根を駆動するカメラのシャッターにおいて、
前記アイリスモータに連動して絞りの開閉動作を行う前記シャッター羽根と、
前記アイリスモータに連動可能で前記絞りの切換動作を行う絞り羽根と、
前記絞り羽根に当接し、絞り羽根を、絞りを切り換えた状態で係止する回動可能なラッチレバーと、
前記シャッター羽根の閉動作に連動して前記ラッチレバーを跳ね上げる回動可能な解除レバーと、
を備えることを特徴とするシャッター。
【請求項２】
前記アイリスモータは前記シャッター羽根の開方向とその逆の閉方向に回転可能であり、
前記シャッター羽根および前記絞り羽根は、バネの付勢による中立位置と、前記絞りを小絞りおよび大絞りに切り換える切換位置とを有することを特徴とする請求項１記載のシャッター。
【請求項３】
前記アイリスモータが前記開方向に回転すると、前記絞りが前記小絞りとなり、
前記アイリスモータが前記開方向への回転に先立って前記閉方向に回転すると、前記絞りが前記大絞りとなることを特徴とする請求項２記載のシャッター。
【発明の詳細な説明】
【０００１】
【産業上の利用分野】
本発明は、１個のアイリスモータによりシャッター羽根を開閉駆動するカメラのシャッターに関するものである。
【０００２】
【従来の技術】
カメラのシャッターにおいて、中立位置に対し両方向に異なる絞り径を持った１枚のシャッター羽根を用い、１個のアイリスモータの回動方向により絞りを切り換え、露出開放を行っていた。
そして、シャッター羽根をバネ力のみで中立位置に止めて、シャッターの閉動作を行うようにしていた。
【０００３】
【発明が解決しようとする課題】
このように、シャッターの閉動作はシャッター羽根を中立位置に止めなくてはならないが、従来のシャッターの場合には、アイリスモータにより逆方向に駆動することはできないため、バネ力のみによってシャッター羽根を中立位置に止めるようにしなければならなかった。
従って、シャッターの閉動作の高速化が困難であるという欠点があった。
【０００４】
そこで、本発明の目的は、アイリスモータによりシャッター羽根を駆動するカメラにおいて、シャッターの閉動作時にアイリスモータを中立位置に止める必要がなく、アイリスモータへのシャッター開方向とは逆方向の通電を可能として、シャッター閉動作の高速化が図れるようにしたシャッターを提供することにある。
【０００５】
【課題を解決するための手段】
以上の課題を解決すべく請求項１記載の発明は、アイリスモータによりシャッター羽根を駆動するカメラのシャッターにおいて、前記アイリスモータに連動して絞りの開閉動作を行う前記シャッター羽根と、前記アイリスモータに連動可能で前記絞りの切換動作を行う絞り羽根と、前記絞り羽根に当接し、絞り羽根を、絞りを切り換えた状態で係止する回動可能なラッチレバーと、前記シャッター羽根の閉動作に連動して前記ラッチレバーを跳ね上げる回動可能な解除レバーと、を備えることを特徴としている。
【０００６】
そして、請求項２記載の発明は、請求項１記載のシャッターにおいて、前記アイリスモータは前記シャッター羽根の開方向とその逆の閉方向に回転可能であり、前記シャッター羽根および前記絞り羽根は、バネの付勢による中立位置と、前記絞りを小絞りおよび大絞りに切り換える切換位置とを有するようにした構成を特徴としている。
【０００７】
さらに、請求項３記載の発明は、請求項２記載のシャッターにおいて、前記アイリスモータが前記開方向に回転すると、前記絞りが前記小絞りとなり、前記アイリスモータが前記開方向への回転に先立って前記閉方向に回転すると、前記絞りが前記大絞りとなるようにした構成を特徴としている。
【０００８】
【作用】
請求項１記載の発明によれば、１個のアイリスモータに連動して絞りの開閉動作を行うシャッター羽根と、アイリスモータに連動可能で絞りの切換動作を行う絞り羽根と、を備えるシャッターなので、１個のアイリスモータの駆動によって絞り羽根により絞りを切り換えてシャッター羽根により絞りを開閉できる。また、絞りは、絞り羽根に当接したラッチレバーが、絞り羽根を係止することによって切り換えられる。そして、シャッター開動作後、被写体輝度によって決定される秒時をカウントし、閉動作を開始するが、この時、シャッター羽根の閉動作に連動して解除レバーが回動し、解除レバーがラッチレバーを跳ね上げるため、ラッチレバーが絞り羽根を係止する前に、絞り羽根は中立位置に戻ることができる。よって、アイリスモータを中立位置に止める必要がなく、アイリスモータは閉方向に通電され、シャッター羽根は中立位置を通過して絞り羽根による絞りの切換位置まで回転するので、シャッターの閉動作の高速化が可能となる。
【０００９】
そして、請求項２記載の発明によれば、シャッター羽根の開方向とその逆の閉方向に回転可能なアイリスモータを備えて、シャッター羽根および絞り羽根は、バネの付勢による中立位置と、絞りを小絞りおよび大絞りに切り換える切換位置とを有するシャッターなので、シャッター開動作後の閉動作時は、閉方向への通電によるアイリスモータの駆動に連動してシャッター羽根が中立位置を通過して切換位置まで回転する。
【００１０】
さらに、請求項３記載の発明によれば、アイリスモータが開方向に回転すると、絞りが小絞りとなり、アイリスモータが開方向への回転に先立って閉方向に回転すると、絞りが大絞りとなるシャッターなので、１個のアイリスモータの駆動に連動させて、絞り羽根により絞りを大小に切り換えられるとともに、その大小に切り換えられた絞りをシャッター羽根により開閉できる。
【００１１】
【実施例】
以下に、本発明に係るシャッターの実施例を図１から図６に基づいて説明する。
図１は本発明を適用した一例としてのシャッターの絞り切換機構を示すもので、小絞り開放の動作を示しており、（ａ）は中立位置の状態の正面図、（ｂ）は開放状態の正面図、（ｃ）は切換位置の状態の正面図である。
この図１において、１は大絞り用の開口、２はアイリスモータ、２ａは出力軸、３は駆動レバー、４はシャッター羽根、５は絞り羽根、６はボス、７は切欠部、８は解除レバー、８ａは回転軸、９はバネ、１０はストッパー、１１は小絞り用の開口、１２はバネ、１３はラッチレバー、１３ａは回転軸、１４はウェイト、１５は立曲部、１６はバネ、１７は立曲部、１８はトンボレバー、２０はストッパー、２１は係止用切欠、２２は係止爪である。
【００１２】
先ず、大絞り用の開口１から図示では上方に離れて配置したアイリスモータ２の出力軸２ａには、駆動レバー３がほぼ中央部で一体的に取り付けられている。さらに、この出力軸２ａには、シャッター羽根４および絞り羽根５が各々の一端部側（図示上端部側）で回転可能にそれぞれ組み付けられている。
そして、駆動レバー３の先端部（図示下端部）には、ボス６が一体的に設けられており、このボス６は、シャッター羽根４の中間部に嵌合して貫通している。このため、シャッター羽根４は駆動レバー３と一体に回転する。
【００１３】
なお、駆動レバー３は、図示しないバネによって図１（ａ）に示す中立位置の状態に保持されている。
また、シャッター羽根４は、図示しないバネによって閉方向（前記出力軸２ａを回転中心として図示反時計廻り方向）に付勢されている。
【００１４】
さらに、前記ボス６は、絞り羽根５の中間部に形成した一側方（図示左側方）からの切欠部７に係合可能となっている。
また、前記駆動レバー３の図示上端部には、解除レバー８の一端部（図示下端部）が当接している。この解除レバー８は、回転軸８ａを中心として回転する。なお、前記絞り羽根５は、図示上端部右側のバネ９によって前記出力軸２ａを回転中心として図示時計廻り方向に付勢されており、かつ、図示上半部右側のストッパー１０によって回転を規制されている。
【００１５】
そして、前記絞り羽根５の図示下端部側には、前記大絞り用の開口１に重なりうる小絞り用の開口１１が形成されている。
また、前記絞り羽根５の図示上端部には、図示左側のバネ１２によって回転軸１３ａを中心として図示時計廻り方向に付勢されたラッチレバー１３が当接している。
このラッチレバー１３は、回転軸１３ａを基準として図示左上側の端部にウェイト１４を取り付けもしくは一体成形により備えており、また、回転軸１３ａを基準として図示右上側の端部に立曲部１５が形成されている。
【００１６】
さらに、前記解除レバー８は、回転軸８ａを基準として図示右上側のバネ１６によって回転軸８ａを中心として図示反時計廻り方向に付勢されており、また、回転軸８ａを基準として図示左上側の端部に立曲部１７が形成されている。
そして、この解除レバー８の立曲部１７の図示左下側には、図４に拡大して示したように、トンボレバー１８が回転軸１８ａを中心として回転可能に備えられている。
このトンボレバー１８は、立曲部１７との間に架設したバネ１９によって回転軸１８ａを中心として図示反時計廻り方向に付勢されており、かつ、立曲部１７の下面との当接により回転を規制されている。
【００１７】
従って、前記ラッチレバー１３の立曲部１５は、前記解除レバー８がバネ１６の付勢力によって回転軸８ａを中心として図示反時計廻り方向に回転したとき、解除レバー８上の立曲部１７に沿って設けたトンボレバー１８が当接する。
なお、前記駆動レバー３は、図示上半部左側のストッパー２０によって回転を規制されている。
また、前記絞り羽根５の図示上端部には、係止用切欠２１が形成されており、さらに、前記ラッチレバー１３の図示右下部には、係止用切欠２１に係止可能な係止爪２２が形成されている。
【００１８】
以上の構成によるシャッターの絞り切換機構の動作について次に説明する。
先ず、小絞り開放の動作説明から行う。
ここで、図１（ａ）に示すように、中立位置の状態においては、駆動レバー３とシャッター羽根４および絞り羽根５が揃って図示垂直方向に向き、絞り羽根５の図示上半部右側にストッパー１０が当接している。また、駆動レバー３の図示上端部に解除レバー８が当接するとともに、絞り羽根５の図示上端部にラッチレバー１３が当接している。さらに、駆動レバー３のボス６が絞り羽根５の切欠部７の図示右端部に係合している。
【００１９】
＜小絞り開放＞（図１参照）
図示しないカメラ本体のレリーズ釦を押すと、図示しない制御回路からの信号によりアイリスモータ２を通電して駆動させて、その出力軸２ａを図示時計廻り方向に回転させる。
すると、図１（ａ）の中立位置の状態から、駆動レバー３のボス６を経てシャッター羽根４が図示しない前記バネの付勢力に抗して開方向（前記出力軸２ａを中心として図示時計廻り方向）に回転し、図１（ｂ）に示すように、大絞り用の開口１の図示左側にシャッター羽根４が位置するとともに、絞り羽根５の小絞り用の開口１１が大絞り用の開口１内に位置した状態の小絞り開放が行われる。
【００２０】
同時に、解除レバー８は、バネ１６の付勢力によって回転軸８ａを中心として図示反時計廻り方向に回転する。
その際、ラッチレバー１３の係止爪２２が、絞り羽根５の図示上端部に当接した状態のため、解除レバー８上のトンボレバー１８が、ラッチレバー１３の立曲部１５に当接すると、図４に拡大して仮想線で示したように、トンボレバー１８がバネ１９の付勢力に抗して回転軸１８ａを中心として図示時計廻り方向に回転して、立曲部１５を乗り越える。
こうして乗り越えた状態が図１（ｂ）に示した開放状態である。このような小絞り開口１１の開放状態で露光が行われる。
【００２１】
また、既知のように被写体輝度によって決定される秒時後に、図示しない前記制御回路によってアイリスモータ２に前述した開方向の場合とは逆方向の通電を行って出力軸２ａを逆転（図示反時計廻り方向に回転）させる。
すると、図１（ｂ）に示した開放状態から、シャッター羽根４は図示しない前記バネの付勢力によって閉方向（前記出力軸２ａを中心として図示反時計廻り方向）に回転し、しかも、アイリスモータ２によって駆動レバー３が図示反時計廻り方向に駆動されているため、シャッター羽根４は図１（ａ）の中立位置を通過して図１（ｃ）に示した切換位置に達する。なお、この切換位置では露出開放は行われない。
この時点で、大絞り用の開口１は、シャッター羽根４の図示下部左側部分で閉じられている。
【００２２】
同時に、駆動レバー３のボス６および切欠部７を介して絞り羽根５も前記出力軸２ａを中心として図示反時計廻り方向に回転し、大絞り用の開口１の図示右側に絞り羽根５が位置した状態となる。この時、駆動レバー３の図示上半部左側にストッパー２０が当接している。
その際、駆動レバー３の図示上端部に当接状態の解除レバー８は、バネ１６の付勢力に抗して回転軸８ａを中心として図示時計廻り方向に回転し、解除レバー８の立曲部１７に沿って設けたトンボレバー１８が立曲部１７に当接した状態で、図５に拡大して仮想線で示したように、ラッチレバー１３の立曲部１５を跳ね上げる。
【００２３】
ここで、ラッチレバー１３は、回転軸１３ａを基準として図示左上側の端部にウェイト１４を備えており、バネ１２の付勢力によって回転軸１３ａを中心として図示時計廻り方向への回転により初期状態（図１（ａ），（ｂ）に示した状態）に戻る回転速度が遅くなるように調節されている。
このため、前述したように、絞り羽根５が前記出力軸２ａを中心として図示反時計廻り方向に回転しても、ラッチレバー１３の係止爪２２が、絞り羽根５の係止用切欠２１に合致せず、その間に、前記バネ９の付勢力によって前記絞り羽根５およびシャッター羽根４が図１（ａ）に示した中立位置に戻る。
【００２４】
次に、大絞り開放の動作説明をする。
＜大絞り開放＞（図２および図３参照）
既知のように被写体輝度等により図示しない前記制御回路が大絞りを選択したときは、アイリスモータ２を駆動して、出力軸２ａを前述した開方向（図示時計廻り方向）に回転する前に図示反時計廻り方向に回転する。
すると、図２（ａ）の中立位置の状態から、駆動レバー３のボス６を経てシャッター羽根４が図示しない前記バネの付勢力に抗して前記出力軸２ａを中心として図示反時計廻り方向に回転するとともに、駆動レバー３のボス６および切欠部７を介して絞り羽根５も前記出力軸２ａを中心として図示反時計廻り方向に回転する。
【００２５】
従って、図２（ｂ）に示すように、大絞り用の開口１がシャッター羽根４の図示下部左側部分で閉じられた状態になるとともに、ラッチレバー１３の係止爪２２が絞り羽根５の係止用切欠２１に落ち込んで、大絞り用の開口１の図示右側に絞り羽根５が位置した係止状態になる。この時、駆動レバー３の図示上半部左側にストッパー２０が当接している。
この状態で、アイリスモータ２を駆動して、出力軸２ａを図示時計廻り方向に回転させることによって、駆動レバー３のボス６を経てシャッター羽根４が図示しない前記バネの付勢力に抗して開方向（前記出力軸２ａを中心として図示時計廻り方向）に回転すると、図３（ａ）に示すように、大絞り用の開口１の図示左側にシャッター羽根４が位置して、大絞り用の開口１が開放され、露光が行われる。
【００２６】
一方、駆動レバー３が前記出力軸２ａを中心として図示時計廻り方向に回転することにより、駆動レバー３の上端部に当接する解除レバー８が回転軸８ａを中心として図示反時計廻り方向に回転し、前述した小絞り開放の時と同様、図２（ｂ）から図３（ａ）に示すように、解除レバー８上のトンボレバー１８がバネ１９の付勢力に抗して回転軸１８ａを中心として図示時計廻り方向に回転して、ラッチレバー１３の立曲部１５を乗り越える。
【００２７】
また、既知のように被写体輝度によって決定される秒時後に、図示しない前記制御回路によってアイリスモータ２に前述した開方向の場合とは逆方向の通電を行って出力軸２ａを逆転（図示反時計廻り方向に回転）させる。
すると、図３（ａ）に示した開放状態から、前述した小絞り開放の時と同様、シャッター羽根４は閉方向（前記出力軸２ａを中心として図示反時計廻り方向）に回転し、図３（ｂ）に示した切換位置から図２（ａ）の中立位置に戻る。
なお、前述した小絞り開放の時と同様、解除レバー８の立曲部１７に沿って設けたトンボレバー１８が立曲部１７に当接した状態で、図５に拡大して仮想線で示したように、ラッチレバー１３の立曲部１５を跳ね上げる。
【００２８】
以上の通り、本発明を適用したシャッターの絞り切換機構によれば、以下に列挙する効果を発揮することができる。
（１）シャッターの閉動作時にアイリスモータ２を中立位置に止める必要がない。従って、アイリスモータ２に開方向とは逆方向に通電できるため、閉動作の高速化が実現できる。
この結果、閉動作をバネ力により行っていた従来のシャッターに比較し、シャッターの高速化が行える。
（２）シャッターの高速化により、小絞りを使用した被写界深度の深いプログラムと、大絞りを使用した被写界深度の浅いプログラムが設定できる。
（３）ステッピングモータを使ったシャッターに比べ、低価格で提供できる。
【００２９】
次に、前記ラッチレバー１３と前記絞り羽根５の回転のタイミングについて説明する。
以上の実施例では、閉じ動作のとき、シャッター羽根４が中立位置を通過し、ラッチレバー１３を跳ね上げる。そして、ラッチレバー１３の係止爪２２が絞り羽根５の係止用切欠２１に落ち込む前に、絞り羽根５およびシャッター羽根４が中立位置に戻る
このようなラッチレバー１３の回転を遅れさせるタイミングをウェイト１４によって調節していた。
【００３０】
図６はラッチレバー１３の回転を遅れさせるタイミングをウェイト１４により調節するのに代えてガバナー機構２５により調節する場合を示すもので、図示のように、アンクル２３と、ラッチレバー１３のギア部１３ｂに噛み合うガンギ車２４とからなるガバナー機構２５によって、前述したようなラッチレバー１３の回転を遅れさせるタイミングを調節してもよい。
このようなガバナー機構２５をラッチレバー１３の回転を遅れさせるタイミングの調節に使う場合、部品点数は増えるが、前述したウェイト１４による調節に比べ、構えたときのカメラの姿勢差による影響はなくなるといった利点が得られる。
【００３１】
なお、以上の実施例においては、アイリスモータおよび駆動レバーとシャッター羽根および絞り羽根の他、解除レバーとラッチレバーおよびトンボレバーと各バネを用いるものとしたが、各部品の形状等は任意であり、その他、具体的な細部構造等についても適宜に変更可能であることは勿論である。
【００３２】
【発明の効果】
以上のように、請求項１記載の発明に係るシャッターによれば、１個のアイリスモータの駆動によって絞り羽根により絞りを切り換え、ラッチレバーによって絞り羽根を切換位置にて係止した後、シャッター羽根により絞りを開閉することができ、シャッター羽根の閉動作に連動して解除レバーが回動し、解除レバーがラッチレバーを跳ね上げるため、ラッチレバーが絞り羽根を係止する前に、絞り羽根は中立位置に戻ることができる。よって、シャッターの閉動作時にアイリスモータを中立位置に止める必要がなく、アイリスモータに開方向とは逆方向に通電できるため、閉動作の高速化を実現することができる。従って、閉動作をバネ力により行っていた従来のシャッターと比較して、シャッターを高速化することができ、また、ステッピングモータを使ったシャッターに比べて、低価格にて提供することができる。
【００３３】
そして、請求項２記載の発明に係るシャッターによれば、シャッター開動作後の閉動作時においては、閉方向への通電によるアイリスモータの駆動に連動してシャッター羽根が中立位置を通過して絞りの切換位置まで回転するようになる。
【００３４】
さらに、請求項３記載の発明に係るシャッターによれば、１個のアイリスモータの駆動に連動させて、絞り羽根により絞りを大小に切り換えることができるとともに、その大小に切り換えられた絞りをシャッター羽根により開閉することができる。
【図面の簡単な説明】
【図１】本発明を適用した一例としてのシャッターの絞り切換機構を示すもので、小絞り開放の動作を示しており、（ａ）は中立位置の状態の正面図、（ｂ）は開放状態の正面図、（ｃ）は切換位置の状態の正面図である。
【図２】図１のシャッターの絞り切換機構による大絞り開放の動作を示すもので、（ａ）は中立位置の状態の正面図、（ｂ）は切換位置の状態の正面図である。
【図３】図２に続いて、（ａ）は開放状態の正面図、（ｂ）は切換位置の状態の正面図である。
【図４】図１（ａ）の状態から図１（ｂ）の状態に移行する時の要部の動作を説明する拡大図である。
【図５】図１（ｂ）の状態から図１（ｃ）の状態に移行する時と図３（ａ）の状態から図３（ｂ）の状態に移行する時の要部の動作を説明する拡大図である。
【図６】ラッチレバーの回転を遅れさせるタイミングをウェイトにより調節するのに代えてガバナー機構により調節する場合を示すもので、図５と同様の拡大図である。
【符号の説明】
１  大絞り用の開口
２  アイリスモータ
３  駆動レバー
４  シャッター羽根
５  絞り羽根
６  ボス
７  切欠部
８  解除レバー
９  バネ
１０  ストッパー
１１  小絞り用の開口
１２  バネ
１３  ラッチレバー
１４  ウェイト
１５  立曲部
１６  バネ
１７  立曲部
１８  トンボレバー
１９  バネ
２０  ストッパー
２１  係止用切欠
２２  係止爪
２３  アンクル
２４  ガンギ車
２５  ガバナー機構
【図１】
0003625310.tif 000002
【図２】
0003625310.tif 000003
【図３】
0003625310.tif 000004
【図４】
0003625310.tif 000005
【図５】
0003625310.tif 000006
【図６】
0003625310.tif 000007